(57)【要約】      （修正有）【課題】環境に優しい投影透過型スクリーンを提供する。【解決手段】基板と、基板の一側面に形成された水性ポリマーエマルションコーティング材料を含む投影透過型スクリーンであって、屋外での広告、室内外のインテリア、展示会における展示において応用される。前記屋外での広告は、ガラス基板として、スーパーマーケットチェーン店、薬局、化粧品店、オフィスビル又はストリートショップのガラス窓を用いて、その上に環境に優しい透過ペイントを直接塗布して、環境に優しい投影透過型スクリーンを形成する。【選択図】なし【特許請求の範囲】
【請求項１】
環境に優しい投影透過型スクリーンであって、
基板と、基板の一側面に形成された水性ポリマーエマルションコーティング材料を含む、前記環境に優しい投影透過型スクリーン。
【請求項２】
前記水性ポリマーエマルションコーティング材料は、水性ポリマーエマルション組成物を前記基板の一面に塗布し、常温常圧で乾燥した後に得られることを特徴とする
請求項１に記載の環境に優しい投影透過型スクリーン。
【請求項３】
水性ポリマーエマルション組成物、無機ナノ粒子及び補助剤を含むことを特徴とする
請求項１に記載の環境に優しい投影透過型スクリーン。
【請求項４】
前記基板は、平面形状、円弧形状又は半円形状であることを特徴とする
請求項１に記載の環境に優しい投影透過型スクリーン。
【請求項５】
スーパーマーケットチェーン店、薬局、化粧品店、オフィスビル又はストリートショップなどのガラス窓をガラス基板として、前記ガラス基板の上に透過ペイント組成物を直接塗布して、環境に優しい投影透過型スクリーンを形成するように構成されることを特徴とする
請求項１に記載の環境に優しい投影透過型スクリーンの応用。
【請求項６】
環境に優しい投影透過型スクリーンの製造方法であって、
基板前処理ステップと、塗布ステップと、成形ステップとを含む、前記環境に優しい投影透過型スクリーンの製造方法。
【請求項７】
前記塗布ステップは、スプレーコーティングステップ又はロールコーティングステップを含むことを特徴とする
請求項６に記載の環境に優しい投影透過型スクリーンの製造方法。
【請求項８】
前記成形ステップは、常温常圧で行われることを特徴とする
請求項６に記載の環境に優しい投影透過型スクリーンの製造方法。
【請求項９】
前記塗布ステップにおいて、前記基板と地面との間の夾角は、０°〜９０°の間の任意の角度から選択されることを特徴とする
請求項６に記載の環境に優しい投影透過型スクリーンの製造方法。
【請求項１０】
スーパーマーケットチェーン店、薬局、化粧品店、オフィスビル又はストリートショップのガラス窓を基板として、ガラス基板の上に透過ペイント組成物を直接塗布して、環境に優しい投影透過型スクリーンを形成することを特徴とする
請求項９に記載の環境に優しい投影透過型スクリーンの製造方法。
【請求項１１】
請求項６〜１０のいずれか一項に記載の環境に優しい投影透過型スクリーンの屋外での広告、室内外のインテリア、展示会の展示における応用。
【請求項１２】
前記屋外での広告は、ガラス基板として、スーパーマーケットチェーン店、薬局、化粧品店、オフィスビル又はストリートショップのガラス窓を用いて、その上に環境に優しい透過ペイントを直接塗布して、環境に優しい投影透過型スクリーンを形成することを特徴とする
請求項１１に記載の応用。
【発明の詳細な説明】
【技術分野】
【０００１】
本発明は、環境に優しい投影透過型スクリーン及びその製造方法に関し、具体的には、環境保護の分野における新規材料に関する。主に屋外での広告、室内外のインテリア、展示会における展示に応用される。
【背景技術】
【０００２】
現在、投影システムは、ビジネス・プレゼンテーション、マルチメディア会議室、教室、スポーツ会場などの場所に広く応用されている。使用される投影方法は、主にフロント投影とリア投影である。それに応じて、投影モードから、投影スクリーンを正面投影スクリーン（反射型）と背面投影スクリーン（透過型）に分類することが可能である。いわゆるフロント投影では、プロジェクタの取り付け位置と、視聴者とが同じ側に位置し、プロジェクタから放射された光線が投影スクリーンに投射され、投影スクリーンの上に画像が形成され、後に光線が人間の目に反射される。いわゆるリア投影では、プロジェクタの取り付け位置と、視聴者とがそれぞれ投影スクリーンの両側に位置し、プロジェクタから放射された光線は、プロジェクションスクリーンの側から投影スクリーンに直接投射される。リア撮影では、光線は、投影スクリーンを通して視聴者の目に入る。フロント投影の撮影スクリーンはサイズによって制限されないが、環境光を制御して初めて良好な視認効果を得ることができる。フロント撮影の撮影スクリーンは、環境光と照明が良好な環境において、画面のコントラストが著しく低下することがある。また、リア投影の撮影スクリーンは、画面の一体感が比較的強く、画面の色彩が華やかであり、形がリアルであり、環境光を制御する必要がなく、環境光と照明が非常に良い環境に適用される。しかし、リア投影の撮影スクリーンは、サイズがフロント投影ほど良くないし、投影距離を確保するように十分な背部の空間が必要である。また、フロント投影とリア投影に同時に使用される両面高精細スクリーンは現在存在しない。
【０００３】
ビームプロジェクタを照射する光の一例が韓国実用新案登録第２０−０２７３７０９号に開示されている。この技術は、複数の微粒子からなる微粒子ステッカーを接着剤を用いて透明ガラスのスクリーンパネルに貼り付けることに関する。しかし、このスクリーンパネルは不透明であるため、反射型ビームプロジェクタにしか使用することができず、透過型ビームプロジェクタを使用するため、映像を外部から見ることはできない。
【０００４】
外部から画像を見ることができる投影スクリーンの一例は韓国特許第１０−０９８８４１５号に開示されている。この投影スクリーンは、巻物のように巻かれるものであって、接着剤が塗布されている。しかし、巻物のように巻かれた場合、接着剤が意図しない部分に付着する欠点がある。
【０００５】
高精細投影ペイント組成物及びその製造方法は、中国特許出願第２０１８１０１４２８９３．１号に開示されている。この特許出願の高精細投影ペイント組成物は、シリカ微粒子１〜１０重量％、二酸化スズ微粒子１〜１０重量％、接着剤３０〜６０重量％、レベリング剤１〜２重量％、消泡剤１〜２重量％及び残余の溶媒を含む。この特許出願では、主にナノ粒子の分散などの問題を解決するために有機溶媒を使用しているが、環境を汚染する問題がある。
【発明の概要】
【発明が解決しようとする課題】
【０００６】
本発明は、基板と、基板の一側面に形成された水性ポリマーエマルションコーティング材料を含む環境に優しい投影透過型スクリーンを提供することを目的とする。
【課題を解決するための手段】
【０００７】
本発明の第１の態様に記載の環境に優しい投影透過型スクリーンは、前記水性ポリマーエマルションコーティング材料が、水性ポリマーエマルション組成物を前記基板の一面に塗布し、常温常圧で乾燥した後に得られる。
【０００８】
本発明の第１の態様に記載の環境に優しい投影透過型スクリーンは、前記水性ポリマーエマルション組成物、無機ナノ粒子及び補助剤を含む。
【０００９】
本発明の第１の態様に記載の環境に優しい投影透過型スクリーンは、前記基板が、平面形状、円弧形状又は半円形状である。
【００１０】
本発明の第１の態様に記載の環境に優しい投影透過型スクリーンの応用は、スーパーマーケットチェーン店、薬局、化粧品店、オフィスビル又はストリートショップのガラス窓をガラス基板として、前記ガラス基板の上に透過ペイント組成物を直接塗布して、環境に優しい投影透過型スクリーンを形成するように構成される。
【００１１】
本発明の第２の態様に記載の環境に優しい投影透過型スクリーンの製造方法は、基板前処理ステップと、塗布ステップと、成形ステップとを含む。
【００１２】
本発明の第２の態様に記載の環境に優しい投影透過型スクリーンの製造方法は、前記塗布ステップが、スプレーコーティングステップ又はロールコーティングステップを含む。
【００１３】
本発明の第２の態様に記載の環境に優しい投影透過型スクリーンの製造方法は、前記成形ステップが、常温常圧で行われる。
【００１４】
本発明の第２の態様に記載の環境に優しい投影透過型スクリーンの製造方法は、前記塗布ステップにおいて、前記基板と地面との間の夾角が、０°〜９０°の間の任意の角度から選択される。
【００１５】
本発明の第２の態様に記載の環境に優しい投影透過型スクリーンの製造方法は、スーパーマーケットチェーン店、薬局、化粧品店、オフィスビル又はストリートショップのガラス窓を基板として、前記ガラス基板の上に透過ペイント組成物を直接塗布して、環境に優しい投影透過型スクリーンを形成する。
【００１６】
本発明の第２の態様に記載の環境に優しい投影透過型スクリーンは屋外での広告、室内外のインテリア、展示会における展示にて応用される。
【００１７】
本発明の第２の態様に記載の応用は、前記屋外での広告が、ガラス基板として、スーパーマーケットチェーン店、薬局、化粧品店、オフィスビル又はストリートショップのガラス窓を用いて、その上に環境に優しい透過ペイントを直接塗布して、環境に優しい投影透過型スクリーンを形成する。
【発明の効果】
【００１８】
本発明において、透過型ビームプロジェクタと反射型ビームプロジェクタの全てに高精細スクリーンを使用するように、スプレーコーティングの方式を採用して簡単に高精細スクリーンを形成する。本発明は、追加のスクリーンクロス（ｓｃｒｅｅｎ  ｃｌｏｔｈ）を必要とせず、任意の場所に容易に投影することが可能である。本発明の高精細ペイントによって、迅速に、簡単な操作でどこでも高精細投影スクリーンが形成され、投影スクリーンのサイズは他の要因の影響を受けず、単に透明板の大きさに応じて決定される。
【００１９】
本発明は、投影スクリーンの製造用塗料を採用する。これは、コストが低く、環境に優しく、施工が容易であり、通常のスプレーコーティング、ロールコーティングなどの方式を採用し、常温常圧で塗布し、乾燥させることができ、有機溶媒を含有せず、環境を汚染せず、常温常圧で乾燥速度が速く、施工が容易であるため現場で制作することができ、投影スクリーンのコストをさらに低下させ、塗料組成物のコーティング材料の塗布はプロの専門的な訓練を必要としない、という特徴がある。本発明は、常温常圧で簡単なスプレーコーティング又はロールコーティング方法を用いて、所望のクリーンな基材上に直接塗布し、自然乾燥させてフィルムを形成する。
【００２０】
本発明に採用される塗料組成物を用いることにより、任意の場所で、任意の適切な基材の上に現場で塗布して、高精細で環境に優しい投影フィルムを形成することが可能であり、スクリーンクロスを別途設置せず、極めて容易に投影を行うことができる。本発明に採用される塗料組成物は、ガラス等の透明基板上に投影フィルムを形成することが可能であり、リア投影イメージングに用いられ、視野角は１７０°に達し、耐環境光性が強く、先行技術に比べて施工が容易であり、投影スクリーンのサイズは他の要因の影響を受けず、単に透明基板のサイズに応じて決定され、形成された環境に優しい投影スクリーンは環境光の影響をほとんど受けず、明るい光線においても色彩が華やかであり、形がリアルな画像を形成することができ、スクリーンの両側で全部鮮明な画像を見ることが可能である。リア投影イメージングであるため、プロジェクタを完全に隠すことが可能であり、プレゼンターの影がなく、プロジェクタ光線はグレアの影響を生ずることなく、未使用の状態では、依然として基板の元の状態であるため、基板の元の機能には影響しない。
【００２１】
本発明のコーティング組成物は、既存の白色スクリーン又は壁に塗布して、高精細で環境に優しい投影フィルムを形成することもでき、上記投影フィルムは明るい光線においても鮮明な画像を形成し、既存の白色スクリーンを暗所で使用しなければならない欠点を克服した。本発明の環境に優しい投影スクリーンは、屋外での広告、室内外のインテリア、展示会における展示、オフィス分野などにおいて使用することが可能である。
【発明を実施するための形態】
【００２２】
以下、本発明の実施形態における技術的方案について詳細に説明するが、説明する実施例は本発明の実施例の一部のみであり、すべての実施例ではないことは明らかである。本発明の実施例に基づいて、当業者が創造的な労働をしていない前提の下で得られたすべての他の実施例は、全て本発明の保護範囲に属する。
【００２３】
用語「備える」、「含む」又はその任意の他の変形は、一連の要素を含むプロセス、方法、物品又はデバイスがこれらの要素を含むだけでなく、さらに、明示的に列記されていない他の要素、又はこのようなプロセス、方法、物品又はデバイスに固有の要素も含むように非排他的な含みを包括する。
【００２４】
本発明に記載の環境に優しい投影透過型スクリーンにおいて、前記水性ポリマーエマルションコーティング材料は、水性ポリマーエマルション組成物を前記基板の一面に塗布し、常温常圧で乾燥させた後に得られる。前記水性ポリマーエマルションコーティング材料は、前記水性ポリマーエマルション組成物、無機ナノ粒子及び補助剤を含む。
【００２５】
本発明の環境に優しい投影透過型スクリーンについて、前記基板は、平面形状、円弧形状又は半円形状などの任意の形状であってもよく、スプレーコーティング又はロールコーティングなどの方式によって、均一なコーティングを形成すると、高精細スクリーンを形成することができる。
【００２６】
本発明の環境に優しい投影透過型スクリーンの製造方法は、基板前処理ステップと、塗布ステップと、成形ステップとを採用し、簡便な方法によって成形して得ることができ、前記成型ステップは常温常圧で行われる。
【００２７】
本発明の環境に優しい投影透過型スクリーンの製造方法の塗布ステップにおいて、前記基板と地面との間の夾角は、０°〜９０°の間の任意の角度から選択される。スーパーマーケットチェーン店、薬局、化粧品店、オフィスビル又はストリートショップのガラス窓を基板として、前記ガラス基板の上に透過ペイント組成物を直接塗布して、環境に優しい投影透過型スクリーンを形成する。
【００２８】
本発明の環境に優しい投影透過型スクリーンは、屋外での広告、室内外のインテリア、展示会の展示における応用に適用される。
【００２９】
一実施例として、塗料の原料として、本発明の原料には接着剤が含有され、このような接着剤の例として、例えば、アクリルエマルション、酢酸ビニルエマルション、ポリビニルブチラール、酢酸ビニル、ポリウレタン、有機無機ハイブリッド接着剤の１つを含み、又はそれらの１つ又は複数の混合物からなる。
【００３０】
本発明の二重スクリーンの塗料層に塗布される塗料は、シリカ微粒子、接着剤を含む他に、塗装面の均一化のためのレベリング剤及び塗装プロセスにおける気泡の形成を抑制するための消泡剤もさらに含むことが可能である。
【００３１】
レベリング剤と消泡剤を含む場合の塗料の全組成は、シリカ微粒子１〜１０重量％、二酸化スズ微粒子１〜１０重量％、接着剤３０〜６０重量％、レベリング剤１〜１２重量％、消泡剤１〜２重量％及び残余の溶媒を含む。本発明において、半透明塗料の溶媒は、水又はアルコールからなってもよい。
【００３２】
また、上記の構成において、塗料の原料として金属微粒子をさらに添加することも可能である。
【００３３】
金属微粒子は、紫外線や赤外線の透過量を低減することにより、屋内にいる人を紫外線から保護するだけでなく、金属の固有の反射特性によって、スクリーニングされた塗料層にビームプロジェクタの映像より良好な画質を提供する。
【００３４】
また、金属微粒子は，断熱効果を有するため、金属微粒子が添加された前記塗料を建物と外部境界のガラスに塗布する場合、さらにエネルギー効率を向上させることができる。
【００３５】
金属微粒子の一例として、大きさが１０〜５００ｎｍである酸化チタン、酸化亜鉛、酸化インジウム、二酸化スズ、酸化アンチモンスズ、酸化インジウムスズなどの１種以上と大きさが約１０〜５００ｎｍである酸化モリブデン（ＭｏＯ３）、酸化タンタル（Ｔａ２Ｏ５）、酸化タングステン（ＷＯ３）、五酸化バナジウム（Ｖ２０５）及び酸化セリウム（Ｎｂ２Ｏ５）を混合して使用することが可能である。
【００３６】
これらの金属微粒子は、シリカ微粒子１００重量部に対して、５０〜１５０重量部添加することが好ましい。
【００３７】
使用量が上記使用量より多い場合、グレアが深刻になり、逆に使用量が少ない場合、十分な紫外線防御効果は得られない。
【００３８】
第２の実施形態として、本発明の塗料は水性ポリマーエマルション組成物であってもよく、前記水性ポリマーエマルション組成物は水性ポリマーエマルション、無機ナノ粒子及び補助剤を含んでもよい。
【００３９】
好ましくは、前記水性ポリマーエマルションは、水性ポリウレタンエマルション、水性ポリアクリレートエマルション、ＥＶＡエマルション又は複種類の水性ポリマーエマルションを含む。
【００４０】
好ましくは、前記無機ナノ粒子は、ナノシリカ、ナノ二酸化スズ、ナノ酸化亜鉛、ナノ酸化チタン、ナノアルミナ及びナノジルコニアから選択された１種又は２種以上の混合物であり、前記ナノ粒子混合物の組成物中の質量含有量は、１−１０％である。その含有量は、投影されていないときのスクリーンの透過度に影響を与えるが、投影イメージングには影響しない。前記ナノ粒子混合物の質量含有量は１０％より高くてはならない。特に、ガラス基板として、スーパーマーケットチェーン店、薬局、化粧品店、オフィスビル又はストリートショップのガラス窓を用いるとき、高精細スクリーンとして使用されていなくても、外観には影響しない。
【００４１】
本発明において、調色ナノフィラーをさらに含むことが可能である。好ましくは、前記調色ナノフィラーは、ナノ二酸化銅、ナノ三酸化二鉄、ナノ二酸化マンガン、ナノカーボンブラックから選択された１種又は２種以上の混合物であり、その組成物中の質量含有量は、０．０１−２％である。
【００４２】
本発明において、前記補助剤は、消泡剤、分散剤及び皮膜形成剤からなり、その組成物中の質量含有量は１−１０％である。
【００４３】
本発明は環境に優しい投影スクリーン製造用ポリマーエマルション組成物コーティング材料を提供する。本発明の水性ポリマーエマルション組成物コーティング材料は、透明基板上に背面、前面背面両用投射スクリーンを製造するのに適用され、特に既存の建物の透明ガラス窓又はディスプレイパネルをフロント投影、リア投影のスクリーンに改造する要求を満足させるのに適用される。本発明は、強い耐光性、簡単な施工、低コスト及び環境に優しい特徴を有するスクリーンコーティング材料に関する。
【００４４】
本発明の両面投影スクリーンは、前記水性ポリマーエマルション組成物を用いて基板上に塗布して、投影フィルムを形成し、前記投影フィルムをプロジェクタと組み合わせて画像を形成する。
【００４５】
本発明において、前記水性ポリマーエマルションは担体材料であり、市販の水性ポリウレタンエマルション、水性ポリアクリル酸エステルエマルション、ＥＶＡエマルション、又は２種又は複種類の水性ポリマーエマルションなどを使用することが可能であり、その固形分は、好ましくは、２５〜４５％であり、その組成物中の含有量は６５〜８５％である。
【００４６】
前記基板は、透明基板、不透明基板、既存の建物の透明ガラス窓又はディスプレイパネルなどを含む。本発明に記載の簡単な施工及び環境に優しい特徴は、プロの専門的な訓練を必要とせず、常温常圧で簡単なスプレーコーティング又はロールコーティング方法を用いて、所望のクリーンな基材上に直接塗布し、自然乾燥させてフィルムを形成し、乾燥プロセスでは有機溶剤の臭いがない。
【００４７】
本発明の１００ｍｌの塗料は、天気、施工環境等の影響を受けることなく、約１．６平方メートルのディスプレイスクリーンを製造することが可能である。
【００４８】
本発明の水性ポリマーエマルション組成物コーティング材料は、既存の建物の室内外のインテリア、展示会における展示及び屋外広告スクリーンに適用することが可能であり、現場施工が可能であり、施工が簡単であり、乾燥時間が短く、コストと時間を節約し、耐環境光性が高く、昼の強光条件においても鮮明な画面を見ることができる。
【００４９】
本発明では、投影スクリーン製造用水性ポリマーエマルション組成物が採用される。これは、コストが低く、環境に優しく、施工が容易であり、通常のスプレーコーティング、ロールコーティングなどの方式を採用し、常温常圧で塗布し、乾燥させることができ、有機溶媒を含有せず、環境を汚染せず、常温常圧で乾燥速度が速く、施工が容易であるため現場で制作することができ、投影スクリーンのコストをさらに低下させ、塗料組成物のコーティング材料の塗布はプロの専門的な訓練を必要としない、という特徴がある。本発明は、常温常圧で簡単なスプレーコーティング又はロールコーティング方法を用いて、所望のクリーンな基材上に直接塗布し、自然乾燥させてフィルムを形成する。
【００５０】
本発明に採用される水性ポリマーエマルションを用いることにより、任意の場所で、任意の適切な基材の上に現場で塗布して、高精細で環境に優しい投影フィルムを形成することが可能であり、スクリーンクロスを別途設置せず、非常に容易に投影を行うことができる。本発明に採用される水性ポリマーエマルション組成物は、ガラス等の透明基板上に投影フィルムを形成することが可能であり、リア投影イメージングに用いられ、視野角は１７０°に達し、耐環境光性が強く、先行技術に比べて施工が容易であり、投影スクリーンのサイズは他の要因の影響を受けず、透明基板のサイズにのみ決定され、形成された環境に優しい投影スクリーンは環境光の影響をほとんど受けず、明るい光線でも色彩が華やかであり、形がリアルな画像を形成することができ、スクリーンの両側で全部鮮明な画像を見ることが可能である。リア投影イメージングであるため、プロジェクタを完全に隠すことが可能であり、プレゼンターの影がなく、プロジェクタ光線はグレアの影響を生ずることなく、未使用の状態では、依然として基板の元の状態であるため、基板の元の機能には影響しない。
【００５１】
本発明の水性ポリマーエマルション組成物は、既存の白色スクリーン又は壁に塗布して、高精細で環境に優しい投影フィルムを形成することもでき、上記投影フィルムは明るい光線の下でも鮮明な画像を形成し、既存の白色スクリーンを暗所で使用しなければならない欠点を克服した。本発明の環境に優しい投影スクリーンは、屋外での広告、室内外のインテリア、展示会における展示、オフィス分野などにおいて使用することが可能である。
【００５２】
実施例１
水性ポリウレタン１００質量部に、シリカ８質量部、ナノ二酸化スズ２質量部、水２質量部を添加して混合し、固形分含有量は４５質量％である。次いで、超音波を６０分間用いた後、実施例１の水性ポリマー組成物１を得た。水性ポリマー組成物１をスプレーガンに入れ、前処理したガラス基板上に地面に垂直な方向に塗布し、自然乾燥させて、表面乾燥時間が１０−１５minであるオフホワイトのコーティングフィルムを得た。水性ポリマー１が塗布されたガラスは、視野角が１７０である投影スクリーンとして使用することが可能であり、コーティングの両面で全部イメージングを得ることができる。コーティング面がプロジェクタに面しているときに、リア投影効果に優れる。
【００５３】
実施例２
水性ポリウレタン１００質量部にシリカ１４質量部、ナノ酸化チタン７質量部を添加して、水２質量部で混合し、固形分含有量は６３％である。次いで、超音波を６０分間用いた後、実施例２の透過ペイント組成物２を得て、透過ペイント組成物２をスプレーガンに入れ、前処理したガラス基板上に地面に垂直な方向に塗布してスプレーコーティングし、自然乾燥させて、表面乾燥時間が１０−１５minであるオフホワイトのコーティングフィルムを得た。水性ポリマー１が塗布されたガラスは、視野角が１７０である投影スクリーンとして使用することが可能であり、コーティングの両面で全部イメージングを得ることができる。コーティング面がプロジェクタに面しているときに、リア投影効果に優れる。
【００５４】
実施例３
水性ポリウレタン１００質量部に、シリカ８質量部、二酸化スズ２質量部、二酸化銅０．０５質量部を添加して、水２質量部で混合し、固形分含有量は４７％である。次いで、実施例３の透過ペイント組成物３を超音波分を６０分間用いた後に得て、透過ペイント組成物３をスプレーガンに入れ、前処理したガラス基板上に地面に垂直な方向に塗布してスプレーコーティングし、自然乾燥させて、表面乾燥時間が１０−１５minであるアッシュブラックのコーティングフィルムを得た。水性ポリマー１が塗布されたガラスは、視野角が１７０である投影スクリーンとして使用することが可能であり、コーティングの両面で全部イメージングを得ることができる。コーティング面がプロジェクタに面しているときに、リア投影効果に優れる。
【００５５】
実施例４
水性アクリレートと水性ポリウレタンとの１００質量部の混合物（３：７）にシリカ１４質量部、ナノ二酸化スズ７質量部を添加して、水２質量部で混合し、固形分含有量は６３％である。次いで、超音波を６０分間用いた後、実施例４の透過ペイント組成物４を得て、透過ペイント組成物４をスプレーガンに入れ、前処理したガラス基板上に地面に垂直な方向に塗布してスプレーコーティングし、自然乾燥させて、表面乾燥時間が１０−１５minであるオフホワイトのコーティングフィルムを得た。水性ポリマー１が塗布されたガラスは、視野角が１７０である投影スクリーンとして使用することが可能であり、コーティングの両面で全部イメージングを得ることができる。コーティング面がプロジェクタに面しているときに、リア投影効果に優れる。
【００５６】
上記した実施例は、本発明のいくつかの実施形態のみであり、その説明は、より具体的かつ詳細であるが、本発明の範囲を限定するものと理解されるべきではない。本発明の精神を逸脱しない前提の下で少しの変形及び修正が当業者によってなされ得るが、これは、すべて本発明の保護範囲に属することは指摘されるべきである。したがって、本発明の範囲は、添付の特許請求の範囲によって決定されるべきである。